(57)【要約】【課題】情報携帯端末の表示画面に貼付しやすく、気泡が残存しにくく、外観の低下が少ない情報携帯端末の表示画面保護用シートを提供すること。【解決手段】  情報携帯端末の表示画面に貼付されるための表示画面保護用シートであって、前記表示画面保護用シートが、基材シート、粘着層、および離型シートを順次積層してなり、  前記粘着層が、情報携帯端末の表示画面周辺部に対応する基材シートの部分に設置され、  前記基材シートが、前記情報携帯端末の表示画面部に対応する基材シートの部分に連続してつながる粘着層のない帯状部分を有し、  前記帯状部分が、前記基材シートの外端まで連続して通じていることを特徴とする、表示画面保護用シート。【選択図】図４
2013107996.tif 000002
【特許請求の範囲】
【請求項１】
同一平面上に表示画面周辺部と矩形の表示画面部とを備えた情報携帯端末の表面に貼付されるための表示画面保護用シートであって、
前記表示画面保護用シートが、基材シート、粘着層、および離型シートを順次積層してなり、
前記基材シートが、粘着層の存在する粘着部と、粘着層の存在しない非粘着部とを備え、
前記粘着部が、
前記情報携帯端末の表面に前記表示画面保護用シートが貼付された際に前記情報携帯端末の表示画面周辺部に対応する基材シートの部分のうち下記非粘着部が配置された下記（１）〜（３）の全ての位置を除いて設置され、
前記非粘着部が、
（１）前記情報携帯端末の表面に前記表示画面保護用シートが貼付された際に前記情報携帯端末の表示画面部に対応する基材シートの部分
（２）前記情報携帯端末の表面に前記表示画面保護用シートが貼付された際に前記情報携帯端末の表示画面周辺部に対応する基材シートの部分のうち、前記矩形の表示画面の一辺と接する帯状部分および前記矩形の表示画面の一辺と平行である他辺と接する帯状部分
（３）前記情報携帯端末の表面に前記表示画面保護用シートが貼付された際に前記情報携帯端末の表示画面周辺部に対応する基材シートの部分のうち、前記矩形の表示画面の一辺と接する帯状部分および前記矩形の表示画面の一辺と平行である他辺と接する帯状部分との少なくとも一方に連続して通じている帯状部分
の全てに設置され、
前記帯状部分が、前記基材シートの外端まで連続して通じていることを特徴とする、表示画面保護用シート。
【請求項２】
前記情報携帯端末の表面に前記表示画面保護用シートが貼付された際に前記情報携帯端末の表示画面周辺部に対応する基材シートの部分のうち、前記矩形の表示画面の一辺と接する帯状部分および前記矩形の表示画面の一辺と平行である他辺と接する帯状部分との少なくとも一方に連通する帯状部分（３）が、
前記情報携帯端末の表面に前記表示画面保護用シートが貼付された際に前記情報携帯端末の表示画面周辺部に対応する基材シートの部分のうち、前記矩形の表示画面の一辺と接する帯状部分および前記矩形の表示画面の一辺と平行である他辺と接する帯状部分（２）のそれぞれに対し、
直交して連続して通じている帯状部分である、請求項１に記載の表示画面保護用シート。
【請求項３】
前記情報携帯端末の表面に前記表示画面保護用シートが貼付された際に前記情報携帯端末の表示画面周辺部に対応する前記表示画面保護用シートの部分に、開口部が設けられている、請求項１または２に記載の表示画面保護用シート。
【請求項４】
前記離型シートが、剥離用爪部を備えた請求項１〜３のいずれかに記載の表示画面保護用シート。
【発明の詳細な説明】
【技術分野】
【０００１】
本発明は、情報携帯端末に使用される表示画面保護用シートに関する。
【背景技術】
【０００２】
液晶画面等の表示画面を備えた情報携帯端末の表示画面を保護する用途に様々な種類の表示画面保護用シートが開発されている。
しかしながら表示画面保護用シートを情報携帯端末の表示画面に貼る際に、表示画面保護用シートと情報携帯端末の表示画面との間に気泡が入る問題があった。
この問題に対応するために、表示画面保護用シートの粘着剤層に空気を抜くための多数の四角錐台状の微小凸部を形成する構造が提案されている（特許文献１）。
具体的には、微細な多数の四角錐台状を形成したエンボスロールを離型紙に圧着することにより離型紙に微細な多数の倒立四角錐台状の微小凸部を形成する。そして微細な多数の倒立四角錐台状微小凸部が形成された離型紙を表示画面保護用シートの粘着層に圧着することにより、離型紙を剥離した後の表示画面保護用シートの粘着層に微細な多数の四角錐台状の微小凸部を形成する。この様にして空気を抜くための微細な多数の四角錐台状の微小凸部を備えた表示画面保護用シートが得られる。
この提案された表示画面保護用シートを使用した場合は、表示画面保護用シートを情報携帯端末の表示画面に貼る際に、表示画面保護用シートと情報携帯端末の表示画面との間に気泡が残ることを防止できるとされる。
しかしながら従来の表示画面保護用シートでは粘着層の表面に微細な多数の四角錐台状の微小凸部が形成されているため、表示画面保護用シートと情報携帯端末の表示画面との間に水分が浸入した場合には粘着層に形成された微小凹部が目立つ問題があった。
また従来の表示画面保護用シートでは、情報携帯端末の表示画面に対して粘着層が接している部分と接していない部分があるため、表示画面保護用シートの構成によっては光の入射位置に依存して外観が低下する問題があった。
【先行技術文献】
【特許文献】
【０００３】
【特許文献１】特許第３３７７４３９号公報
【発明の概要】
【発明が解決しようとする課題】
【０００４】
本発明の課題は、情報携帯端末の表示画面に貼付しやすく、気泡が残存しにくく、外観の低下が少ない情報携帯端末に使用される表示画面保護用シートを提供することにある。
【課題を解決するための手段】
【０００５】
上記課題を解決するため本発明者が鋭意検討した結果、
表示画面部と表示画面周辺部とを有する情報携帯端末の表示画面に貼付されるための表示画面保護用シートであって、前記表示画面保護用シートが、基材シート、粘着層、および離型シートを順次積層してなり、
前記粘着層が、情報携帯端末の表示画面部に対応する基材シートの部分を除く、情報携帯端末の表示画面周辺部に対応する基材シートの部分に設置され、
前記基材シートが、前記情報携帯端末の表示画面部に対応する基材シートの部分に連続してつながる粘着層のない帯状部分を有し、
前記帯状部分が、前記基材シートの外端まで連続して通じていることを特徴とする、表示画面保護用シートが本発明の目的に適うこを見出し、本発明を完成させるに至った。        
【０００６】
すなわち本発明は、
［１］同一平面上に表示画面周辺部と矩形の表示画面部とを備えた情報携帯端末の表面に貼付されるための表示画面保護用シートであって、
前記表示画面保護用シートが、基材シート、粘着層、および離型シートを順次積層してなり、
前記基材シートが、粘着層の存在する粘着部と、粘着層の存在しない非粘着部とを備え、
前記粘着部が、
前記情報携帯端末の表面に前記表示画面保護用シートが貼付された際に前記情報携帯端末の表示画面周辺部に対応する基材シートの部分のうち下記非粘着部が配置された下記（１）〜（３）の全ての位置を除いて設置され、
前記非粘着部が、
（１）前記情報携帯端末の表面に前記表示画面保護用シートが貼付された際に前記情報携帯端末の表示画面部に対応する基材シートの部分
（２）前記情報携帯端末の表面に前記表示画面保護用シートが貼付された際に前記情報携帯端末の表示画面周辺部に対応する基材シートの部分のうち、前記矩形の表示画面の一辺と接する帯状部分および前記矩形の表示画面の一辺と平行である他辺と接する帯状部分
（３）前記情報携帯端末の表面に前記表示画面保護用シートが貼付された際に前記情報携帯端末の表示画面周辺部に対応する基材シートの部分のうち、前記矩形の表示画面の一辺と接する帯状部分および前記矩形の表示画面の一辺と平行である他辺と接する帯状部分との少なくとも一方に連続して通じている帯状部分
の全てに設置され、
前記帯状部分が、前記基材シートの外端まで連続して通じていることを特徴とする、表示画面保護用シートを提供するものである。
【０００７】
また本発明の一つは、
［２］前記情報携帯端末の表面に前記表示画面保護用シートが貼付された際に前記情報携帯端末の表示画面周辺部に対応する基材シートの部分のうち、前記矩形の表示画面の一辺と接する帯状部分および前記矩形の表示画面の一辺と平行である他辺と接する帯状部分との少なくとも一方に連通する帯状部分（３）が、
前記情報携帯端末の表面に前記表示画面保護用シートが貼付された際に前記情報携帯端末の表示画面周辺部に対応する基材シートの部分のうち、前記矩形の表示画面の一辺と接する帯状部分および前記矩形の表示画面の一辺と平行である他辺と接する帯状部分（２）のそれぞれに対し、
直交して連続して通じている帯状部分である、上記［１］に記載の表示画面保護用シートを提供するものである。
【０００８】
また本発明の一つは、
［３］前記情報携帯端末の表面に前記表示画面保護用シートが貼付された際に前記情報携帯端末の表示画面周辺部に対応する前記表示画面保護用シートの部分に、開口部が設けられている、上記［１］または［２］に記載の表示画面保護用シートを提供するものである。
【０００９】
また本発明の一つは、
［４］前記離型シートが、剥離用爪部を備えた上記［１］〜［３］のいずれかに記載の表示画面保護用シートを提供するものである。
【発明の効果】
【００１０】
本発明の表示画面保護用シートは、情報携帯端末の表面に前記表示画面保護用シートが貼付される際に前記情報携帯端末の表示画面周辺部に対応する基材シートの部分のうち、非粘着部である帯状部分を除いて粘着部が形成されている。
このため本発明の表示画面保護用シートを情報携帯端末の表面に貼付すると本発明の表示画面保護用シートが比較的情報携帯端末の表面にしっかり貼着するため日常の使用時に剥がれにくい。
【００１１】
また本発明の表示画面保護用シートは、情報携帯端末の表面に前記表示画面保護用シートが貼付される際に前記情報携帯端末の表示画面周辺部に対応する基材シートの部分に対して、非粘着部である帯状部分が設けられている。
本発明の表示画面保護用シートを情報携帯端末の表面に貼付する際にこの帯状部分から空気が容易に逃げるため、本発明の表示画面保護用シートと、情報携帯端末の表面との間に気泡が残ることを防止することができる。
【００１２】
また本発明の表示画面保護用シートは、情報携帯端末の表面に前記表示画面保護用シートが貼付される際に前記情報携帯端末の表示画面部に対応する基材シートの部分に凹凸部が存在しない。このため本発明の表示画面保護用シートは前記情報携帯端末の表示画面部に密着することから外観の不良が発生しにくい。
【図面の簡単な説明】
【００１３】
【図１】図１は、実施例１に係る表示画面保護用シートの表側を示した模式平面図である。
【図２】図２は、実施例１に係る表示画面保護用シートの裏側を示した模式平面図である。
【図３】図３は、図１の一点破線Ａ−Ａにより示される断面を示した模式断面図である。
【図４】図４は、実施例１に係る表示画面保護用シートを情報携帯端末の表面に貼付する方法を説明するための模式斜視図である。
【発明を実施するための形態】
【００１４】
以下、実施例に基づいて本発明の実施形態について図面を参照しつつ詳細に説明する。なお本発明はこれらの実施例により何ら限定されるものではない。
【実施例１】
【００１５】
図１は、実施例１に係る表示画面保護用シートの表側を示した模式平面図である。
また図２は、実施例１に係る表示画面保護用シートの裏側を示した模式平面図である。
最初に実施例１に係る表示画面保護用シート１００の表側について説明する。
図１に示される様に、実施例１に係る表示画面保護用シート１００は、シート側表示画面部１０、シート側表示画面周辺部２０、開口部３０，３１，３２、および透明部４０を有する。
【００１６】
前記シート側表示画面周辺部２０は、前記シート側表示画面部１０の外周を囲む様に配置されている。また前記シート側表示画面周辺部２０にある開口部３０，３１および３２はそれぞれ前記表示画面保護用シート１００を貫通して形成されている。
【００１７】
前記シート側表示画面部１０および透明部４０は無色透明である。これに対しシート側表示画面周辺部２０は黒色である。
なおシート側表示画面周辺部２０は無色、有色のいずれでもよく、透明、不透明のいずれでもよい。
【００１８】
前記シート側表示画面周辺部２０は、前記表示画面保護用シート１００が貼付される情報携帯端末の本体色に合わせて選択することが好ましい。
前記シート側表示画面部１０、シート側表示画面周辺部２０、開口部３０，３１，３２のそれぞれの位置は、前記表示画面保護用シート１００が貼付される情報携帯端末の表面形状に合わせて適宜選択することができる。
【００１９】
次に実施例１に係る表示画面保護用シート１００の裏側について説明する。
ここで本発明においては、裏側とは情報携帯端末の表面に貼付される側の表示画面保護用シート１００の面を意味し、表側とは情報携帯端末の表面に貼付される側の面とは反対側の表示画面保護用シート１００の面を意味する。
図２に示される通り、実施例１に係る表示画面保護用シート１００は、シート側表示画面部１０、シート側表示画面周辺部２０、開口部３０，３１，３２、および透明部４０を有する。
またシート側表示画面周辺部２０には、粘着層５０を構成する粘着部５１ａ，５１ｂ，５２ａ，５２ｂ，５２ｃ，５２ｄ，５３ａ，５３ｂ，５３ｃ，および５３ｄが設置されている。
またシート側表示画面周辺部２０には、非粘着部６０として、表示画面部１０、帯状部分６１ａ，６１ｂ，６２ａ，６２ｂ，６２ｃ，６３ａ，６３ｂ，および６３ｃが設置されている。
【００２０】
前記シート側表示画面部１０の形状は矩形である。
実施例１に係る表示画面保護用シート１００の裏側における前記シート側表示画面部１０の位置は説明の便宜上、破線により示されている。
前記帯状部分６１ａおよび６１ｂは、シート側表示画面部１０の外周を形成する各辺のうち、一辺と、その一辺に平行な他辺にそれぞれ接して、前記シート側表示画面周辺部２０に設置されている。
また前記帯状部分６１ａおよび６１ｂならびに前記シート側表示画面部１０のいずれにも粘着部は形成されていない。
加えて前記シート側表示画面部１０と前記帯状部分６１ａとの境界（図２における上側の破線）ならびに前記シート側表示画面部１０と前記帯状部分６１ｂとの境界（図２における下側の破線）の双方にも粘着部が存在しない。
さらに前記帯状部分６１ａおよび６１ｂのそれぞれの両端は、表示画面保護用シート１００の外周に達している。
【００２１】
前記シート側表示画面周辺部２０に、前記帯状部分６１ａに対して直交して帯状部分６２ａ、６２ｂ、および６２ｃが設置されている。
前記帯状部分６２ａ、６２ｂ、および６２ｃはそれぞれ連続して前記帯状部分６１ａおよび表示画面保護用シート１００の外周に通じていて、前記帯状部分６２ａ、６２ｂ、および６２ｃのいずれにも粘着部は形成されていない。
【００２２】
また前記シート側表示画面周辺部２０に、前記帯状部分６１ｂに対して直交して帯状部分６３ａ、６３ｂ、および６３ｃが設置されている。
前記帯状部分６３ａ、６３ｂ、および６３ｃはそれぞれ連続して前記帯状部分６１ｂおよび表示画面保護用シート１００の外周に通じていて、前記帯状部分６３ａ、６３ｂ、および６３ｃのいずれにも粘着部は形成されていない。
【００２３】
実施例１に係る帯状部分のうち、帯状部分６２ａ，６２ｂ，６２ｃ，６３ａ，６３ｂ，および６３ｃはそれぞれ３つずつ帯状部分６１ａおよび６１ｂに直交して設置されているが、帯状部分６１ａおよび６１ｂにそれぞれつながる帯状部分の数はそれぞれ１〜６個であることが好ましく、２〜４個であればさらに好ましい。
帯状部分６１ａおよび６１ｂにそれぞれつながる帯状部分の数が１〜６個の範囲であれば実施例１に係る表示画面保護用シート１００を情報携帯端末の表面に貼付する際に気泡の残存を容易に防止できることから好ましい。
またそれぞれの帯状部分の長手方向に直交する方向の幅は、０．５〜７ｍｍの範囲であれば好ましく、１〜５ｍｍの範囲であればより好ましい。
また帯状部分６１ａおよび６１ｂに対するそれぞれの帯状部分の交わる角度は４５度〜１３５度の範囲であることが好ましく、８０度〜１００度の範囲であればより好ましく、直交していればさらに好ましい。
【００２４】
前記シート側表示画面周辺部２０に設置されている帯状部分６１ａ，６１ｂ，６２ａ，６２ｂ，６２ｃ，６３ａ，６３ｂ，および６３ｃを除く前記シート側表示画面周辺部２０の部分には粘着層５０を構成する粘着部５１ａ，５１ｂ，５２ａ，５２ｂ，５２ｃ，５２ｄ，５３ａ，５３ｂ，５３ｃ，および５３ｄが設置されている。
前記粘着部５１ａおよび５１ｂは、シート側表示画面部１０の外周を形成する各辺のうち、前記帯状部分６１ａおよび６１ｂと接する辺を除く、互いに平行な二つの辺に沿って形成されている。
【００２５】
実施例１に係る表示画面保護用シート１００の裏側の前記シート側表示画面部１０には粘着部が設けられていない。
このため前記表示画面保護用シート１００を情報携帯端末に貼付した際に、前記表示画面保護用シート１００の裏側の前記シート側表示画面部１０が密着する。
特に前記表示画面保護用シート１００の裏側の前記シート側表示画面部１０の表面には粘着部と非粘着部により形成される凹凸が存在しないため、前記表示画面保護用シート１００を情報携帯端末に貼付した際に、前記表示画面保護用シート１００の外観が劣ることを低減することができる。
また前記表示画面保護用シート１００の裏側の前記シート側表示画面部１０と、情報携帯端末の表面との間の空気は、前記シート側表示画面周辺部２０の帯状部分６１ａ，６１ｂ，６２ａ，６２ｂ，６２ｃ，６３ａ，６３ｂ，および６３ｃを通じて外部に排出される。このため前記表示画面保護用シート１００を携帯情報端末に貼付した際に、前記表示画面保護用シート１００の裏側の前記シート側表示画面部１０と、情報携帯端末の表面との間に気泡が残ることを防止することができる。
【００２６】
さらに前記粘着部５１ａおよび５１ｂが、シート側表示画面部１０の外周を形成する各辺のうち、前記帯状部分６１ａおよび６１ｂと接する辺を除く、互いに平行な二つの辺に沿って形成されていることから、前記表示画面保護用シート１００を貼付した情報携帯端末の前記粘着部５１ａおよび５１ｂ側から汗等の水分や湿気が前記表示画面保護用シート１００と情報携帯端末の表示画面との間に浸入することを抑制することができる。
このため汗等の水分や湿気等に由来する情報携帯端末の表示画面の外観の劣化を低減することができる。
【００２７】
次に実施例１に係る表示画面保護用シート１００の断面構造について説明する。
図３は、図１の一点破線Ａ−Ａにより示される断面を示した模式断面図である。
図３に示される様に、実施例１に係る表示画面保護用シート１００は、基材シート７０、粘着層５０および離型シート８０が順次積層されて形成されている。
前記基材シート７０の厚みは２０〜１０００μｍの範囲であることが好ましく、前記粘着層５０の厚みは０．５〜１００μｍの範囲であることが好ましく、前記離型シート８０の厚みは１０〜１０００μｍの範囲であることが取扱性の面から好ましい。、
前記基材シート７０に使用される材料としては、例えば、ポリエチレンテレフタ―レート、ポリブチレンテレフタレート等のポリエステル樹脂、アクリル樹脂等の合成樹脂シート等が挙げられる。
【００２８】
また前記粘着層５０に使用される材料としては、例えば、粘着成分を含む紫外線硬化性アクリル樹脂等が挙げられる。前記粘着成分としては、例えば、ポリイソブチレン、ポリブタジエン等が挙げられる。
前記粘着成分を含む紫外線硬化性アクリル樹脂等に対する紫外線の照射時間を調整することにより、所望の剥離強度の粘着層５０が得られる。また紫外線硬化性アクリル樹脂等は、他の粘着層５０に使用される材料と比較して、被着体に対して残存成分が少なく使いやすいことから好ましい。
また前記離型シート８０に使用される材料としては、例えば、ポリエチレン、ポリプロピレン等のオレフィン樹脂等が挙げられる。
【００２９】
前記基材シート７０は、粘着層５０の存在する粘着部と、粘着層５０の存在しない非粘着部６０とを備える。
ここで前記基材シート７０に対して、粘着層５０の存在する粘着部と、粘着層５０の存在しない非粘着部６０（６３ａ、６３ｂ、６３ｃ等）とを形成する方法について説明する。
例えば、前記基材シート７０に対して粘着層５０の存在しない非粘着部６０を覆うマスキングシートを設置する。
【００３０】
続いてマスキングシートを装着した前記基材シート７０に対して粘着成分を含む紫外線硬化性アクリル樹脂等を塗布する。
続いて粘着成分を含む紫外線硬化性アクリル樹脂等が塗布されたマスキングシートを装着した前記基材シート７０をベルトコンベア等の搬送装置に乗せて、紫外線が照射される空間を通過させる。
【００３１】
この紫外線が照射される空間を通過する時間、紫外線の照射強度を調整することにより、粘着層５０の剥離強度等を調節することができる。
紫外線の照射終了後、マスキングシートを剥離する。マスキングシートが設置されていた前記基材シート７０の部分には粘着層５０が形成されず、マスキングシートが設置されていた前記基材シート７０の部分に粘着層５０の存在しない非粘着部６０が形成される。
続いて粘着層５０が形成された基材シート７０の粘着層５０側に離型シート８０を貼付することにより実施例１に係る表示画面保護用シート１００を得ることができる。
【００３２】
前記離型シート８０の外形は前記基材シート７０の外形に略一致している。このため実施例１に係る表示画面保護用シート１００の保管時、輸送時等に基材シート７０に形成された粘着層５０に埃等が付着することを防止することができる。
【００３３】
また粘着層５０が形成されていない基材シート７０の面に樹脂コーティングを施すことにより、実施例１に係る表示画面保護用シート１００を指等で押圧した際にニュートンリング等の発生を低減することが可能である。
【００３４】
次に実施例１に係る表示画面保護用シート１００の使用方法について説明する。
実施例１に係る表示画面保護用シート１００は、情報携帯端末２００の表面に貼付して使用することができる。
【００３５】
本発明に使用される情報携帯端末２００の例としては、例えば、携帯電話、スマートフォン、携帯用ゲーム機、電子辞書、電子手帳、携帯用電子音楽再生機器、タブレット型パーソナルコンピュータ等が挙げられる。
【００３６】
実施例１に係る表示画面保護用シート１００の離型シート８０には剥離用爪部８１（図１参照）が設けられている。この剥離用爪部８１が前記表示画面保護用シート１００から突出している。この剥離用爪部８１を利用して前記表示画面保護用シート１００から離型シート８０を容易に剥がすことができる。
【００３７】
図４は実施例１に係る表示画面保護用シート１００を情報携帯端末２００の表面に貼付する方法を説明するための模式斜視図である。
前記表示画面保護用シート１００には粘着層５０が形成されているから、情報携帯端末２００の表面に容易に貼付することができる。
【００３８】
前記表示画面保護用シート１００を情報携帯端末２００に貼付する際には、同一平面上に表示画面周辺部２２０と矩形の表示画面部２１０とを備えた情報携帯端末２００に対して、前記表示画面保護用シート１００のシート側表示画面部１０およびシート側表示画面周辺部２０がそれぞれ対応する様に前記表示画面保護用シート１００を貼付することができる。
【００３９】
貼付に失敗した場合には、情報携帯端末２００から前記表示画面保護用シート１００を剥がして再度貼付することも可能である。
また前記表示画面保護用シート１００には開口部３０、３１および３２が形成されている。これらの開口部を通じて情報携帯端末２００を外部から操作することができ、情報携帯端末２００に搭載されているカメラレンズ等により撮影をすることができる。
【符号の説明】
【００４０】
１０    シート側表示画面部
２０    シート側表示画面周辺部
３０，３１，３２    開口部
４０    透明部
５０    粘着層
５１ａ，５１ｂ，５２ａ，５２ｂ，５２ｃ，５２ｄ，５３ａ，５３ｂ，５３ｃ，５３ｄ  粘着部
６０    非粘着部
６１ａ，６１ｂ，６２ａ，６２ｂ，６２ｃ，６３ａ，６３ｂ，および６３ｃ  帯状部分
７０    基材シート
８０    離型シート
８１    剥離用爪部
１００  表示画面保護用シート
２００  情報携帯端末
２１０  表示画面部
２２０  表示画面周辺部
【図１】
2013107996.tif 000003
【図２】
2013107996.tif 000004
【図３】
2013107996.tif 000005
【図４】
2013107996.tif 000006